(57)【要約】【課題】デタッチャブルな操作パネルを持つ画像形成装置で、ある操作パネルから実行されたジョブに対する中断や中止は、当該ジョブの実行を指示した当該操作パネルからのみ行えるようにする。加えて、当該操作パネル以外の操作パネルに特権を与えておく事により、当該操作パネルが実行したジョブに対して、前記特権を与えられた操作パネルからは中断や中止も行えるようにする。【解決手段】操作パネルにIDを持たせ、当該操作パネルの持つIDをジョブと同時に本体に送信する。ジョブとIDを受取った本体は実行するジョブにIDを関連付けて記憶しておく。本体では実行中のジョブに対する中断や中止の指示を実行する前に、ジョブに関連付けてあったIDと当該中断や中止を送ってきた操作パネルのIDを比較し、IDが一致しなければ、中断や中止を行わない。【選択図】  図８
2015136812.tif 000002
【特許請求の範囲】
【請求項１】
本体とパネルとを着脱することが可能な装置において、
本体とパネルとが無線通信を行うチャネル（１１０５、２１０１，３１０２）と、
該チャネルを介してパネルから本体へのジョブ実行指示が行われた時（S４０４、S５０１、S５０２）パネルから取得したパネル固有の情報（３６００）を、該ジョブ実行指示により実行するジョブに関連付けて記憶しておく記憶手段（S５０１、S５０２及び図６の表）と、前記パネルから本体へのジョブ実行指示で動作しているジョブに対して、何らかの指示がパネルもしくはその他のパネルから通知された時（S８０１〜S８０４、S９０１〜S９０３）、前記記憶手段にあるジョブに関連付けされたパネル固有の情報から、ジョブに対する指示が前記ジョブ実行指示を出したパネルとは異なる、その他のパネルからの指示である時、ジョブに対する指示は特定の範囲の指示だけ実行（S９０４〜S９０７）し、その実行結果もしくは実行しなかった結果をジョブに対する指示を通知してきたパネルに送信（S９０８）し、そのパネルに表示する（S８０５、S８０６）ことを特徴とする画像形成装置。
【請求項２】
特定のパネルに対しては特別な権限を与えておき、該特定のパネルから通知する本体で実行中もしくは実行を待っているジョブに対する指示の場合は、本体側ではパネル固有の情報を無視（S９０５〜S９０７）してジョブに対する指示を実行することを特徴とする請求項１に記載の画像形成装置。
【請求項３】
どのパネルに対して特別な権限を与えるかは、画像形成装置を使用するユーザが自由に設定できることを特徴とする請求項２に記載の画像形成装置。
【請求項４】
特定のパネルに対して与える特別な権限に、複数の段階を設け、且つ、本体側ではパネルからの本体で実行中もしくは実行を待っているジョブに対する指示の種類毎に、該複数の段階の権限のどの権限ならパネル固有の情報を取得して確認するかを予め決めておき（図１０）、予め決まっている段階と特別な権限を与えられたパネルからの該ジョブに対する指示に含まれる段階の比較結果に従って、パネル固有の情報を無視して該ジョブに対する指示を実行する（S９０５、S９０６）ことを特徴とする請求項３又は請求項４に記載の画像形成装置。
【請求項５】
複数の段階の権限は、画像形成装置を使用するユーザが設定できることを特徴とする請求項４に記載の画像形成装置。
【請求項６】
パネルからの指示を実行した結果、もしくは実行しなかった結果は、指示を通知してきたパネル及び、パネルからの指示の対象となっているジョブの実行を指示したパネルの双方に本体から通知することを特徴とする請求項１乃至請求項５の何れか１項に記載の画像形成装置。
【請求項７】
パネルからの指示を実行した結果、もしくは実行しなかった結果を本体から通知するパネルを予め画像形成装置を使用するユーザが設定できることを特徴とする請求項６に記載の画像形成装置。
【発明の詳細な説明】
【技術分野】
【０００１】
本発明は、操作パネルをデバイス本体から取り外した状態でもデバイスを操作することが可能な画像形成装置に関する。
【背景技術】
【０００２】
従来の技術としては、ゲーム機のコントローラで読み取った指関節を使って個人認証を行い、実行途中(途中まで進めてセーブした状態)のゲームを他人が中断処理(セーブデータの変更など)をできないようにアクセスを制御するといったものがあった（特許文献１参照）。
【先行技術文献】
【特許文献】
【０００３】
【特許文献１】特開平１０−２１１３５７号公報
【発明の概要】
【発明が解決しようとする課題】
【０００４】
しかしながら、上記従来技術においては、どんな場合であっても認証手段を使ってセーブされているゲームの情報は認証された当人のみが操作できるようにしている為、認証手段の故障や指関節の情報を入力した当人が不在の時にゲームの情報にアクセスする必要があっても一切行えないという課題があった。
【０００５】
これは、上記従来技術の構成を操作パネルをデバイス本体から取り外した状態でもデバイスを操作することが可能な画像形成装置に用いる事を考えた場合も同様の問題が起きる。
【０００６】
例えば、あるユーザがジョブを実行した状態のまま、画像形成装置の場所から離れてしまった後に、ジョブ実行を中断したい状況が起こったとしても、他のユーザは実行中のジョブに対して中断や中止といった操作を一切行えない、という課題となっていた。
【０００７】
さらには、上記課題を解決する為に、操作パネルをデバイス本体から取り外した状態でもデバイスを操作することが可能な画像形成装置において、どの操作パネルからも全てのデバイスを操作できるような構成にしたとしても、今度は逆に以下の課題が起きていた。
【０００８】
あるオペレータAがあるデバイス1の操作パネル1を取り外して移動している最中に(デバイス1の操作パネルが無い状態)、別のオペレータBが別のデバイス2から取り外した操作パネル2を使って、前記デバイス1を操作することがあるが。たまたまデバイス1では既にジョブが実行されているにも関わらす、オペレータBが操作パネル2を使ってデバイス1で実行中のジョブを間違ってキャンセルしてしまう事があるという課題である。
【０００９】
従って、本発明は上記課題を鑑みてなされたものであり、デバイスで実行中のジョブに対する中断や中止の指示を複数の操作パネルから行えるようにすると共に、操作ミスによる間違ったジョブのキャンセル等を軽減する装置を提供することにある。
【課題を解決するための手段】
【００１０】
本体とパネルとを着脱することが可能な装置において、本体とパネルとが無線通信を行うチャネルと、該チャネルを介してパネルから本体へのジョブ実行指示が行われた時、パネルから取得したパネル固有の情報を、該ジョブ実行指示により実行するジョブに関連付けて記憶しておく記憶手段と、前記パネルから本体へのジョブ実行指示で動作しているジョブに対して、何らかの指示がパネルもしくはその他のパネルから通知された時、前記記憶手段にあるジョブに関連付けされたパネル固有の情報から、ジョブに対する指示が前記ジョブ実行指示を出したパネルとは異なる、その他のパネルからの指示である時、ジョブに対する指示は特定の範囲の指示だけ実行し、その実行結果もしくは実行しなかった結果をジョブに対する指示を通知してきたパネルに送信し、そのパネルに表示することを特徴とする画像形成装置。
【発明の効果】
【００１１】
本発明によれば、デバイスに対してジョブを投入した操作パネルからの指示でのみ、ジョブの中断や中止等の操作が行えるようになる。従って、他の操作パネルからの指示による間違った中断や中止を防ぐことができる。
【図面の簡単な説明】
【００１２】
【図１】本発明の画像形成装置の概観と接続されたパーソナルコンピュータを示す図
【図２】本発明の画像形成装置の内部構成を示すブロック図
【図３】操作パネル3000の概観を示す図
【図４】本発明の実施例を説明するフローチャート
【図５】本発明の実施例を説明するフローチャート
【図６】ジョブ情報管理テーブルのイメージを示す表
【図７】本発明の画像形成装置が複数台設置されている様子の概観を示す図
【図８】本発明の実施例を説明するフローチャート
【図９】本発明の実施例を説明するフローチャート
【図１０】ジョブに対する指示と権限の段階との関係を示すテーブルのイメージを示す表
【発明を実施するための形態】
【００１３】
以下、本発明を実施するための最良の形態について図面を用いて説明する。
【００１４】
［実施例1］
図１は、本実施例における画像形成装置の利用環境を示す概略図である。
【００１５】
本実施例の画像形成装置は、中綴じ製本、裁断、折加工などを行うことができる様々なオプションを組み合わせることで、多彩な印刷・製本要求に応えるものである。
【００１６】
図１記載の画像形成装置は、本体1000に対して、用紙デッキ5000、バインダー6000、フィニッシャー7000を組み合わせた例を示している。
【００１７】
本体1000は、ＬＡＮ8000を介して、パーソナルコンピュータ9000と接続されている。パーソナルコンピュータ9000では、ひとつひとつのページの作成・編集から、製本、裁断、折加工などの設定といった、印刷ジョブの生成が行われる。生成された印刷ジョブは、ＬＡＮ8000を介して、本体1000に送られる。
【００１８】
また、図1では、本発明の特徴である着脱可能な操作パネル3000が、本体1000上に実装されたホームポジション2000に装着されている様子を示している。
【００１９】
着脱可能な操作パネル3000は、ホームポジション2000に装着されているとき、充電されるように構成されている。
【００２０】
なお、用紙デッキ5000、バインダー6000、フィニッシャー7000などのオプションは、本発明に直接関係がないので、詳細な説明は割愛する。
【００２１】
図２は、本発明の特徴を担うところの、本実施例における図１記載の本体1000、ホームポジション2000、着脱可能な操作パネル3000、本体表示部4000の構成を示すブロック図である。
【００２２】
以下、本体1000、ホームポジション2000、操作パネル3000のそれぞれを構成するモジュールについて説明する。
【００２３】
図２において、本体1000は、主にコントローラボード1100、プリントエンジン1200、スキャナ1300、ハードディスクドライブ（ＨＤＤ）1400、電源モジュール1500から構成される。それぞれのデバイスは、電源モジュール1500によって供給される電力によって動作する。
【００２４】
本体1000を構成するコントローラボード1100は、ＣＰＵ1101、ＦＬＡＳＨ ＲＯＭ1102、ＲＡＭ1103、ネットワークインタフェースカード（ＮＩＣ）1104、メインチャネルコントローラ1105、サブチャネルコントローラ1106、ディスクコントローラ（ＤＫＣ）1107、スキャナインタフェース（ＳＩＦ）1108、プリンタインタフェース（ＰＩＦ）1109を備えている。それぞれは、バス1110を介して接続されている。
【００２５】
ＣＰＵ1101は、バス1110に接続される各デバイスを総括的に制御すると共に、ＦＬＡＳＨＲＯＭ1102およびＨＤＤ1400に記憶された、制御プログラムとしてのファームウェアモジュールを実行する。
【００２６】
ＲＡＭ1103は、ＣＰＵ1101の主メモリ、ワークエリアとして機能する。
【００２７】
ＮＩＣ1104は、ＬＡＮ8000を介して、パーソナルコンピュータ9000や、他の画像形成装置と双方向にデータのやり取りを行う。尚、本実施例ではサブチャネル２コントローラのことをNIC1104として記載する。
【００２８】
ＨＤＤ1400は、ＤＫＣ1107を介してアクセスされ、ファームウェアモジュールを格納するだけでなく、画像の一時記憶場所としても使用される。
【００２９】
本体1000に組み付けられたスキャナ1300は、読み取りセンサや原稿搬送機構等を備える（いずれも不図示）。読み取りセンサや原稿搬送機構等は、コントローラボード1100上に実装されたＳＩＦ1108およびスキャナ1300上に実装されたＳＩＦ1301を介して、ＣＰＵ1101で実行されるファームウェアモジュールに基づいて制御される。その結果として、読み取りセンサによって原稿を読み取り、得られたデータをＳＩＦ1108およびＳＩＦ1301を介してコントローラボード1100に転送する。
【００３０】
本体1000に内蔵されたプリンタエンジン1200は、電子写真方式の記録部や記録紙カセット、用紙搬送部等を備える（いずれも不図示）。コントローラボード1100からは、印刷ジョブに基づく印刷要求がＰＩＦ1109およびプリンタエンジン1200上に実装されたＰＩＦ1201を介して送られる。記録部や用紙搬送部等は、同様にＰＩＦ1109およびＰＩＦ1201を介して、ＣＰＵ1101で実行されるファームウェアモジュールに基づいて制御される。その結果として、用紙上に印刷要求に応じた画像を形成する。
【００３１】
メインチャネルコントローラ1105およびサブチャネルコントローラ1106は、本体1000と、本発明の特徴のひとつである着脱可能な操作パネル3000とのやり取りを行う際に使用される。詳細は後述する。
【００３２】
図２において、ホームポジション2000は、主にメインボード２100とコネクタ2200から構成される。
【００３３】
ホームポジション2000を構成するメインボード2100は、主にＩＥＥＥ８０２．１１ｂモジュール2101、ｉｒＤＡモジュール2102、電源コントローラ2103から構成される。
【００３４】
ＩＥＥＥ８０２．１１ｂモジュール2101は、コントローラボード1100のメインチャネルコントローラ1105と接続され、コントローラボード1100からの要求に基づいて、操作パネル3000との無線通信を仲介する。
【００３５】
また、ｉｒＤＡモジュール2102は、コントローラボード1100のサブチャネルコントローラ1106と接続され、コントローラボード1100からの要求に基づいて、操作パネル3000との赤外線通信を仲介する。
【００３６】
電源コントローラ2103は、電源モジュール1500と接続されている。ＩＥＥＥ８０２．１１ｂモジュール2101やｉｒＤＡモジュール2102は、電源コントローラ2103経由で電力の供給を受ける。また、電源コントローラ2103はコネクタ2200とも接続され、操作パネル3000のコネクタ3500が接触状態のとき、操作パネルに電力を供給する。加えて、電力の供給状態を監視し、ホームポジション2000と操作パネル3000とが接触状態にあるか否かを検出し、コントローラボード1100に伝達する。
【００３７】
図２において、着脱可能な操作パネル3000は、主にメインボード3100、ＬＣＤ3200、タッチパネル3300、ボタンデバイス3400、コネクタ3500。及び、操作パネルに個別に割り当てられ、容易に変更や交換ができるようなFLASH ROM等の不揮発な記憶手段から構成されているパネルID3600、から構成される。
【００３８】
操作パネル3000を構成するメインボード3100は、主にＣＰＵ3101、ＩＥＥＥ８０２．１１ｂモジュール3102、ｉｒＤＡモジュール3103、電源コントローラ3104、ディスプレイコントローラ（ＤＩＳＰＣ）3105、パネルコントローラ（ＰＡＮＥＬＣ）3106、ＦＬＡＳＨ  ＲＯＭ3107、ＲＡＭ3108から構成される。それぞれのモジュールは、コントローラボード1100と同様に、バス（不図示）によって接続されている。
【００３９】
ＣＰＵ3101は、バスに接続される各デバイスを総括的に制御すると共に、ＦＬＡＳＨ ＲＯＭ3107に記憶された、制御プログラムとしてのファームウェアモジュールを実行する。
【００４０】
ＲＡＭ3108は、ＣＰＵ3101の主メモリ、ワークエリア、および、ＬＣＤ3200に表示するビデオイメージ用エリアとして機能する。
【００４１】
ディスプレイコントローラ（ＤＩＳＰＣ）3105は、ＣＰＵ3101の要求に応じて、ＲＡＭ3108に展開されたビデオイメージをＬＣＤ3200へ転送するとともに、ＬＣＤ3200を制御する。結果として、ＬＣＤ3200上に操作用のイメージが表示される。
【００４２】
パネルコントローラ（ＰＡＮＥＬＣ）3106は、ＣＰＵ3101の要求に応じて、タッチパネル3300、ボタンデバイス3400、確認LED3600を制御する。その制御によって、タッチパネル3300上の押下位置や、ボタンデバイス3400上の押下されたボタンコードなどが、ＣＰＵ3101に返送される。
【００４３】
電源コントローラ3104は、コネクタ3500と接続され、ホームポジション2000のコネクタ2200が接触状態のとき、本体1000の電源モジュール1500から電力の供給を受ける。これによって、電源コントローラ3104に接続された充電池（不図示）を充電しながら、かつ、操作パネル3000全体に電力を供給する。もし、電源モジュール1500から電力が供給されないときは、充電池からの電力を操作パネル3000全体に供給する。
【００４４】
ＩＥＥＥ８０２．１１ｂモジュール3102は、ＣＰＵ3101の制御に基づいて、ホームポジション2000上のＩＥＥＥ８０２．１１ｂモジュール2101との無線通信を確立し、本体1000との通信を仲介する。
【００４５】
ｉｒＤＡモジュール3103は、ＣＰＵ3101の制御に基づいて、ホームポジション2000上のｉｒＤＡモジュール2102との赤外線通信を確立し、本体1000との通信を仲介する。
【００４６】
上記irDAを使った、物理的に接触している程近い位置に通信相手がいるときにのみ通信が可能なサブチャネルがあることにより、本体1000と操作パネル3000が固定的なペアとなっている場合に、本体1000から見て、ホームポジション2000におかれた操作パネル3000が自分とのペアである操作パネル3000であるかを識別することができる。
【００４７】
もちろん、操作パネル3000から見ても、自分がホームポジションに置かれた本体1000が自分とのペアであるかを、サブチャネルによって識別可能となる。
【００４８】
次に図４、図５のフローチャートや図6の表等を使って、本発明の実施例を説明する。
【００４９】
コントローラボード1100のCPU1101は電源モジュール1500からの電源供給が開始されると、メインチャネルコントローラ1105を使って操作パネル3000との通信を開始する。
【００５０】
操作パネル3000との通信が正しく行えたかを確認し、通信が成功した場合次の処理に進むが、通信が失敗した場合は、本体1000の不図示の表示手段（例えばLED等）を点灯させるなどして通信に失敗した事を表示したりする。また、通信が失敗した場合は、操作パネル3000が無くても実行できるジョブのみ動作できるようにする等の処理を行うが、これら電源起動時の一連の処理は本発明とは無関係である為、これ以上の説明を行わない。
【００５１】
操作パネル3000から例えばコピージョブを実行する時は、タッチパネル3300やボタンデバイス3400を操作して、置数や両面コピーの有無等、所望の設定を行いコピージョブを投入するが(S401、S402)。
【００５２】
その時同時にパネルID3600を読み出し(S403)、パネルID3600の情報と当該コピージョブを関連付けてから、本体1000に対してコピージョブを投入する(S404)。
【００５３】
一方、本体1000では上記の様にコピージョブを投入されると、投入されたコピージョブの情報を図6に示すジョブ情報管理テーブルのような論理構造に基づいてRAM１１０３等に保存しておく(S501、S502)。
【００５４】
図6のジョブ情報管理テーブルには、パネルＩＤ＝30001というパネルＩＤの情報を持つコピージョブがジョブＩＤ＝0001として(実行され)完了状態であり、印刷ジョブがホストＩＤ＝9000の情報をもつジョブＩＤ＝0002として現在実行中であり、パネルＩＤ＝3000というパネルＩＤの情報をもつコピージョブがジョブＩＤ＝0003として待機中(実行待ち)である事を示している。
【００５５】
上記ジョブ管理テーブルにある印刷ジョブがパネルＩＤの情報をもたないのは、操作パネルを経由して実行されたジョブではないからである。但し、パネルＩＤの情報の代わりに印刷ジョブを送信してきたコンピュータの情報をホストＩＤとして保持している。
【００５６】
続いて本体1000では投入されたコピージョブがすぐ実行できるかを確認し(S503)、実行できるようであれば実際のコピーの動作を開始する(S504)。
【００５７】
上記実行できるかの確認(S503)の結果、コピー動作が実行できなかったコピージョブは、待機中のコピージョブとしてRAM１１０３等にキューイングして、ジョブ情報管理テーブルにも、待機中のジョブとして状態を保持しておく(S505)。
【００５８】
フローチャート等には不図示であるが、この後、既に実行中の何らかのジョブが完了、もしくは次のジョブが受け付けられるようになると、そのタイミングで前記キューイングしてあったコピージョブに従ったコピーの動作が開始され、当該コピージョブはジョブ情報管理テーブル上の状態も実行中のジョブに変化する。
【００５９】
図7は本体1000と共に本発明で説明している着脱可能な操作パネルを持つデバイスが複数台設置されている様子を示している。本体1000の他に本体10001、10002、10003があり、各々30001、30002、30003の着脱可能な操作パネルを持っている。
【００６０】
こういった状況で、本体1000で実行中もしくは待機中のジョブ(例えば上記で説明したコピージョブ)を例えば操作パネル30003から操作して、中断、もしくは中止しようとした場合の説明を図8、図9のフローチャートに沿って行う。
【００６１】
まず操作パネル30003から本体1000で実行中もしくは待機中のジョブを確認する為、操作パネル30003から本体1000にアクセスする。
【００６２】
この時図7に示している様に複数台の本体が操作パネル30003の近隣にある場合、不図示の方法により、操作パネル30003には無線通信(ＩＥＥＥ８０２．１１ｂ)を使ってアクセス可能な本体として複数台の本体（本例では1000、10001、10002、10003）をリスト表示する事ができる。
【００６３】
従って、具体的には操作パネル30003上に表示する本体のリストから本体1000を選択することにより、操作パネル30003から本体1000へのアクセスを開始する(S801)。
【００６４】
次に操作パネル30003は本体1000にアクセスすると本体1000が持っているジョブ情報管理テーブルを取得する(S802)。操作パネル30003は取得したジョブ情報管理テーブルの情報を操作パネル30003のLCD(不図示)に表示し、表示されたジョブの中から中断(もしくは中止)するジョブを選択し(S803)。S803で選択したジョブに対し中断もしくは中止の指示を本体1000に対して発行(送信)する(S804)。この時、操作パネル30003が発行する中断もしくは中止の指示には、中断もしくは中止を行うジョブのジョブID、操作パネル30003のパネルIDも含まれる。
【００６５】
次に操作パネル30003は本体1000から前記S804で発行した中断の指示に対する応答(結果)を待ち(S805)、本体1000から応答が届くと、それを操作パネル30003のLCD(不図示)に表示する(S806)。
【００６６】
上記図8のフローチャートの動作を行った時に本体1000では以下のような動作となる。
【００６７】
本体1000では操作パネルからの送信データがあるどうかを待っている(S901)。操作パネルからの送信データを受取るとその内容が、ジョブに対する中断や中止の指示であるかを確認する(S902、S903)。
【００６８】
ジョブに対する中断や中止の指示でない場合はS910に進み指示された処理を実行する。今回の場合は、まずジョブ情報管理テーブルの取得が指示内容なので、本体1000はジョブ情報管理テーブルの内容を操作パネル30003へ送信する(S911)。
【００６９】
S902とS903の処理の結果、操作パネル30003からの送信データがジョブに対する中断や中止の指示である場合、図6に示したジョブ情報管理テーブルから中断や中止を指示されたジョブを捜し(S904)、ジョブ情報管理テーブルの当該ジョブに付随したパネルIDの情報と、中断や中止の指示を送ってきた操作パネル30003のパネルIDを比較する(S905)。
【００７０】
比較の結果、ジョブ情報管理テーブルの当該ジョブに付随したパネルIDの情報と、中断や中止の指示を送ってきた操作パネル30003のパネルIDが一致すれば、当該ジョブの中断や中止を実行する(S906、S907)。さらにその結果を操作パネル30003へ送信する(S908)。
【００７１】
S905の比較の結果、ジョブ情報管理テーブルの当該ジョブに付随したパネルIDの情報と、中断や中止の指示を送ってきた操作パネル30003のパネルIDが一致しないと、当該ジョブの中断や中止を行わなかった事を操作パネル30003へ送信する(S906、S912)。
【００７２】
［実施例2］
上記実施例1では操作パネル3000から投入されたコピージョブに対して、操作パネル30003から中断や中止の指示が本体1000に対して送られた場合、その指示は実行されずに、結果が操作パネル30003に本体から送信された。
【００７３】
この時例えば図７の本体10002に接続される操作パネル30002には、不図示の方法、例えば操作パネル30002に対する直接、もしくは間接的な設定で、特別な権限を与えて、操作パネル30002の図示しないパネルIDの情報にも特別な権限が与えられた事が分る情報を付加しておく。
【００７４】
そして今度は操作パネル3000から投入されたコピージョブに対して操作パネル30002から中断や中止の指示を、本体1000に対して送付した場合にどのような動作になるかを説明する。
【００７５】
本体1000では実施例1で説明した図９のフローチャートの動作となるが、中断や中止の指示を送付してきた操作パネル30002には特別な権限が与えられているので、S905及びS906の処理が変る。S905及びS906では中断や中止を送付してきた操作パネル30002の図示しないパネルIDの情報と、当該コピージョブに付随したパネルIDの情報は一致しないが、中断や中止を送付してきた操作パネル30002のパネルIDの情報には、前記特別な権限が与えられているので、最終的な判定はパネルIDが一致している事と同等となり、S907のジョブを中断や中止する処理に進む。
【００７６】
この様に、ある操作パネルに特別な権限を与えておく事により、ジョブを投入した操作パネルがそのジョブ実行中のある本体の近くに無くても、上記特別な権限を与えられた操作パネルからそのジョブに対する中断や中止が行えるようになる。
【００７７】
［実施例3］
上記他の実施例2では操作パネル30002には特別な権限が与えられていたが、この特別な権限に、段階を付けておき、さらに中断や中止といった指示にも権限の段階を設け、それが一致もしくは、操作パネルに与えた権限の段階の方が上の場合のみ、中断や中止といった指示を実行することも出来る。
【００７８】
例えば図10に示したテーブルにあるようなイメージで、本体1000側が中断や中止といった指示毎に権限の段階を持っており、操作パネル30002には、特別な権限の段階として”7”が与えられていたとすると。
【００７９】
本体1000はS905及びS906の処理で、操作パネル30002から指示された中断や中止がどの権限の段階かを図10のテーブルで確認し、且つ操作パネル30002の特別な権限の段階と比較する。図示しないが操作パネル30002の特別な権限の段階は中断や中止の指示と同時に本体1000へ送付されている。
【００８０】
比較の結果、操作パネル30002の特別な権限の段階は”7”であり、中断や中止の権限の段階も”7”である為、中断や中止は実行できるので、S907のジョブを中断や中止する処理に進む。
【００８１】
ここで、例えば操作パネル30002には特別な権限の段階として”5”が与えられていたとすると、S905及びS906の処理で権限の段階の比較の結果、操作パネル30002の特別な権限の段階が、中断や中止の権限の段階よりも低い(少ない)為、中断や中止は行わずにS912の処理へ進む事になる。
【符号の説明】
【００８２】
1000    本体
5000    用紙デッキ
6000    バインダー
7000    フィニッシャー
8000    ＬＡＮ
9000    パーソナルコンピュータ
【図１】
2015136812.tif 000003
【図２】
2015136812.tif 000004
【図３】
2015136812.tif 000005
【図４】
2015136812.tif 000006
【図５】
2015136812.tif 000007
【図６】
2015136812.tif 000008
【図７】
2015136812.tif 000009
【図８】
2015136812.tif 000010
【図９】
2015136812.tif 000011
【図１０】
2015136812.tif 000012